(57)【要約】【課題】送信電力を増やすことなく効果的に伝送レートを高くできるようにする。【解決手段】送信側で、入力したデータを、所定のシンボル単位毎に第１のデータ列と第２のデータ列とに分離し、分離された第２のデータ列に応じて、複数の直交コードの中から１つを選択して、その選択されたコードで第１のデータ列を拡散し、拡散された第１のデータ列を変調して送信する。受信側では、受信信号を、送信側の直交コードと同じ複数の直交コードで個別に逆拡散し、逆拡散されたそれぞれの受信信号の中から、正しい直交コードで逆拡散された信号を選択し、選択された信号を復調して、第１の受信データ列を得、選択で選ばれた正しい直交コードに対応した第２の受信データ列を得、第１の受信データ列と第２の受信データ列を合成して、受信データを得る。【選択図】      図１
2004274403.tif 000002
【特許請求の範囲】
【請求項１】
入力したデータを、所定のシンボル単位毎に第１のデータ列と第２のデータ列とに分離し、
分離された前記第２のデータ列に応じて、予め用意された複数の直交コードの中から１つを選択して、その選択されたコードで前記第１のデータ列を拡散し、
前記拡散された第１のデータ列を所定の変調方式で変調して送信する
データ送信方法。
【請求項２】
請求項１記載のデータ送信方法において、
前記第２のデータ列に応じて選択される複数の直交コードは、同じ周期のコードである
データ送信方法。
【請求項３】
受信信号を、予め用意された複数の直交コードで個別に逆拡散し、
前記逆拡散されたそれぞれの受信信号の中から、正しい直交コードで逆拡散された信号を選択し、
前記選択された信号を所定の復調方式で復調して、第１の受信データ列を得、
前記選択で選ばれた正しい直交コードに対応した第２の受信データ列を得、
前記第１の受信データ列と前記第２の受信データ列を合成して、受信データを得る
データ受信方法。
【請求項４】
請求項３記載のデータ受信方法において、
前記予め用意された複数の直交コードは、同じ周期のコードである
データ受信方法。
【請求項５】
データを伝送する伝送方法において、
送信側で、入力したデータを、所定のシンボル単位毎に第１のデータ列と第２のデータ列とに分離し、
分離された前記第２のデータ列に応じて、予め用意された複数の直交コードの中から１つを選択して、その選択されたコードで前記第１のデータ列を拡散し、
前記拡散された第１のデータ列を所定の変調方式で変調して送信し、
受信側で、送信された信号を受信して、前記直交コードと同じ複数の直交コードで個別に逆拡散し、
前記逆拡散されたそれぞれの受信信号の中から、正しい直交コードで逆拡散された信号を選択し、
前記選択された信号を所定の復調方式で復調して、第１の受信データ列を得、
前記選択で選ばれた正しい直交コードに対応した第２の受信データ列を得、
前記第１の受信データ列と前記第２の受信データ列を合成して、受信データを得る
データ伝送方法。
【請求項６】
請求項５記載のデータ伝送方法において、
送信側及び受信側で用意される前記複数の直交コードは、同じ周期のコードである
データ伝送方法。
【請求項７】
入力したデータを、所定のシンボル単位毎に第１のデータ列と第２のデータ列とに分離する分離手段と、
前記分離手段で分離された前記第２のデータ列に応じて、予め用意された複数の直交コードの中から１つを選択して、その選択されたコードで前記第１のデータ列を拡散する拡散手段と、
前記拡散された第１のデータ列を所定の変調方式で変調する変調手段とを備えた
データ送信装置。
【請求項８】
請求項７記載のデータ送信装置において、
前記第２のデータ列に応じて選択される複数の直交コードは、同じ周期のコードである
データ送信装置。
【請求項９】
受信信号を、予め用意された複数の直交コードで個別に逆拡散する逆拡散手段と、
前記逆拡散されたそれぞれの受信信号の中から、正しい直交コードで逆拡散された信号を選択する選択手段と、
前記選択手段で選択された信号を所定の復調方式で復調して、第１の受信データ列を得る復調手段と、
前記選択手段での選択で選ばれた正しい直交コードに対応した第２の受信データ列を得て、前記第１の受信データ列と前記第２の受信データ列を合成して、受信データを得る合成手段とを備えた
データ受信装置。
【請求項１０】
請求項９記載のデータ受信装置において、
前記予め用意された複数の直交コードは、同じ周期のコードである
データ受信装置。
【請求項１１】
データを伝送する伝送システムにおいて、
送信側として、
入力したデータを、所定のシンボル単位毎に第１のデータ列と第２のデータ列とに分離する分離手段と、
前記分離手段で分離された前記第２のデータ列に応じて、予め用意された複数の直交コードの中から１つを選択して、その選択されたコードで前記第１のデータ列を拡散する拡散手段と、
前記拡散手段で拡散された第１のデータ列を所定の変調方式で変調して送信信号とする変調手段とを備え、
受信側として、
前記送信信号を受信して、前記直交コードと同じ複数の直交コードで個別に逆拡散する逆拡散手段と、
前記逆拡散されたそれぞれの受信信号の中から、正しい直交コードで逆拡散された信号を選択する選択手段と、
前記選択手段で選択された信号を所定の復調方式で復調して、第１の受信データ列を得る復調手段と、
前記選択手段での選択で選ばれた正しい直交コードに対応した第２の受信データ列を得て、前記第１の受信データ列と前記第２の受信データ列を合成して、受信データを得る合成手段とを備えた
データ伝送システム。
【請求項１２】
請求項１１記載のデータ伝送システムにおいて、
送信側及び受信側で用意される前記複数の直交コードは、同じ周期のコードである
データ伝送システム。
【発明の詳細な説明】
【０００１】
【発明の属する技術分野】
本発明は、例えばＣＤＭＡ（Ｃｏｄｅ  Ｄｉｖｉｓｉｏｎ  Ｍｕｌｔｉｐｌｅ  Ａｃｃｓｅｓｓ：符号分割多元接続）方式の無線伝送に適用して好適なデータ送信方法、データ受信方法、データ伝送方法、データ送信装置、データ受信装置及びデータ伝送システムに関する。
【０００２】
【従来の技術】
従来、効率の良い無線伝送として、ＣＤＭＡ方式が実用化されている。ＣＤＭＡ方式の場合には、送信データを直交するコードで拡散して、多重化して送信している。送信データの中には、ユーザ情報（音声データやパケットデータなど）のほかに制御情報（電力制御情報、同期検波用の情報など）が含まれていることがある。
【０００３】
図１１は、従来のユーザ情報と制御情報とを多重化してＣＤＭＡ方式で無線送信処理する例を示したブロック図である。まず、ユーザ情報はマッピング回路７１に供給して、０データを１、１データを−１とするマッピング処理を行い、そのマッピングされたユーザ情報を拡散回路７２に供給して、直交コードｃ１を乗算して拡散する。その拡散されたユーザ情報は、電力増幅部７３に供給して送信電力に応じた増幅処理を行い、合成器７４に供給する。
【０００４】
一方、制御情報についても、マッピング回路７５に供給して、０データを１、１データを−１とするマッピング処理を行い、そのマッピングされた制御情報を拡散回路７６に供給して、直交コードｃ２を乗算して拡散する。その拡散された制御情報は、電力増幅部７７に供給して送信電力に応じた増幅処理を行い、増幅された信号を、複素化回路７８で複素数化して合成器７４に供給する。
【０００５】
合成器７４では、供給されるユーザ情報と制御情報を、Ｉチャンネル及びＱチャンネルの情報として、直交合成された１系統の情報（Ｉ＋ｊＱ）とし、その合成器７４が出力する情報（Ｉ＋ｊＱ）を、スクランブル回路７９に供給する。スクランブル回路７９では、スクランブリングコードを複素乗算して、スクランブルされた信号とし、そのスクランブルされた信号を送信させる。
【０００６】
このようなＣＤＭＡ方式で伝送レートを高くしようとする場合、例えば複数の直交コードを用いて伝送データを多重化する方法が知られている。図１２は、従来の複数の直交コードを用いて伝送データを多重化するマルチコード処理を適用した、送信側の構成例を示した図であり、図１３は、その信号の受信側の構成例を示した図である。図１２，図１３では、マッピングや電力制御などの処理については省略してある。
【０００７】
図１２の構成について説明すると、送信データは、シリアル／パラレル変換器８１で複数系列のデータに分割する。ここではｎ（ｎは任意の整数で多重化数）系列に分割したとし、そのｎ系列のデータを、それぞれ別の拡散回路８２ａ，８２ｂ，‥‥８２ｎに供給して、それぞれ別の直交コードｃ１，ｃ２，‥‥ｃＮを乗算して拡散処理を行う。各拡散回路８２ａ，８２ｂ，‥‥８２ｎで拡散された送信データは、それぞれ別の変調回路８３ａ，８３ｂ，‥‥８３ｎに供給して、送信用に変調処理を行い、その変調された送信データを、多重化回路８４に供給して多重化された送信データとし、その送信データを無線送信させる。
【０００８】
図１３は、このように多重化されて無線伝送された信号を受信する構成例を示した図である。受信データは、複数の逆拡散回路９１ａ，９１ｂ，‥‥９１ｎに供給する。この逆拡散回路９１ａ〜９１ｎは、送信時の多重化数ｎに対応してｎ個用意された回路であり、それぞれの逆拡散回路９１ａ，９１ｂ，‥‥９１ｎで、送信時と同じ拡散コードｃ１，ｃ２，‥‥ｃＮを乗算して、それぞれの拡散コードで拡散された系列のデータを逆拡散処理する。各系列毎に逆拡散処理で得られた受信データは、それぞれ別の復調回路９２ａ，９２ｂ，‥‥９２ｎに供給して、受信用に復調処理を行い、その復調された各系列の受信データを、パラレル／シリアル変換回路９３で、１系列のデータに合成して、受信データとする。
【０００９】
この図１２，図１３に示した、複数の直交コードを使用して多重化した信号の伝送処理を行うことで、拡散コードを使用する数だけ、伝送するデータ量を増やすことができ、それだけデータの伝送レートを高くすることができる。非特許文献１は、この複数の直交コードを使用して多重化して伝送する仕様の一例について記載されたものである。
【００１０】
【非特許文献１】
３ＧＰＰ発行（１９９９年１２月）の“３Ｇ  ＴＳ  ２５．２１１”  Ｖ３．１．１  Ｔｅｃｈｎｉｃａｌ  Ｓｐｅｃｉｆｉｃａｔｉｏｎ  ３ｒｄ  Ｇｅｎｅｒａｔｉｏｎ  Ｐａｒｔｎｅｒｓｈｉｐ  Ｐｒｏｊｅｃｔ；Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；Ｐｈｙｓｉｃａｌ  ｃｈａｎｎｅｌｓ  ａｎｄ  ｍａｐｐｉｎｇ  ｏｆ  ｔｒａｎｓｐｏｒｔ  ｃｈａｎｎｅｌｓ  ｏｎｔｏ  ｐｈｙｓｉｃａｌ  ｃｈａｎｎｅｌｓ  第２０頁
【００１１】
【発明が解決しようとする課題】
ところが、図１２，図１３に示したように無線伝送を行うようにした場合、送信電力として、使用する直交コードの数だけ多く必要となる問題がある。即ち、直交コードを２つ使用する場合には、２倍の送信電力が必要であり、直交コードを４つ使用する場合には、４倍の送信電力が必要であり、直交コードを使用する数に比例して、全体の送信電力が非常に多く必要になる問題があった。
【００１２】
この問題点を回避するためには、例えば、直交コードの周期を短くして伝送レートを高くする方法がある。ところが、直交コードの周期を短くすると、それだけ対雑音特性が劣化するため、結局送信電力を高くする必要が生じる。
【００１３】
また、変調方式をより多値で変調する方式として、伝送レートを高くすることも考えられるが、この場合にも対雑音特性が劣化するため、結局送信電力を高くする必要が生じる。例えば、変調方式としてＱＰＳＫ（Ｑｕａｄｒａｔｕｒｅ  Ｐｈａｓｅ  Ｓｈｉｆｔ  Ｋｅｙｉｎｇ  ）方式を採用していた場合に、１６ＱＡＭ（Ｑｕａｄｒａｔｕｒｅ  Ａｍｐｌｉｔｕｄｅ  Ｍｏｄｕｌａｔｉｏｎ  ）方式などの多値変調に切換えることも考えられる。しかしながら、多値変調に切換えると、信号点間の距離が短くなるため、対雑音特性が劣化してしまい、通信品質を確保するためには送信電力を高くする必要が生じる。
【００１４】
このような送信電力の大電力化は、特に携帯電話端末のような、バッテリで駆動される通信端末の場合に、その端末のバッテリ持続時間を短時間化してしまうため、好ましくない。
【００１５】
本発明はかかる点に鑑みてなされたものであり、送信電力を増やすことなく効果的に伝送レートを高くできるようにすることを目的とする。
【００１６】
【課題を解決するための手段】
本発明は、送信側で、入力したデータを、所定のシンボル単位毎に第１のデータ列と第２のデータ列とに分離し、分離された第２のデータ列に応じて、予め用意された複数の直交コードの中から１つを選択して、その選択されたコードで第１のデータ列を拡散し、拡散された第１のデータ列を所定の変調方式で変調して送信する。
【００１７】
そして受信側で、送信された信号を受信して、直交コードと同じ複数の直交コードで個別に逆拡散し、逆拡散されたそれぞれの受信信号の中から、正しい直交コードで逆拡散された信号を選択し、選択された信号を所定の復調方式で復調して、第１の受信データ列を得、選択で選ばれた正しい直交コードに対応した第２の受信データ列を得、第１の受信データ列と第２の受信データ列を合成して、受信データを得るようにしたものである。
【００１８】
このようにしたことで、伝送路で伝送されるデータとしては、第１のデータ列だけであり、第２のデータ列については、第１のデータ列を拡散した直交コードの選択に基づいて受信側で得られる。従って、第１のデータ列だけを伝送する処理を行うだけで、第１，第２のデータ列が受信側で得られ、第２のデータ列については送信電力が不要になり、少ない送信電力で伝送レートを高くすることが可能になる。
【００１９】
【発明の実施の形態】
以下、図１〜図１０を参照して本発明の一実施の形態について説明する。
【００２０】
まず、本発明の一実施の形態による伝送の原理を、図１及び図２を参照して説明する。図１は送信側の原理構成を示し、図２は受信側の原理構成を示したものである。
【００２１】
図１に示した送信側の原理構成について説明すると、送信データを分離部１１に供給する。分離部１１では、供給される送信データを２系統に分離する。例えば、１単位（１シンボル）が４ビットで構成される送信データの場合に、２ビットずつに分離して、一方の２ビットデータを、切り替え器１２に供給する。また、他方の２ビットデータを、切り替え器１２及び１５に、切り替え制御情報として供給する。
【００２２】
切り替え器１２に供給された一方の２ビットデータは、ｎ個（ｎは２以上の整数）の拡散回路１３ａ，１３ｂ，‥‥１３ｎのいずれかに供給する。ここでは、切り替え制御情報が２ビットであるので、ｎが最大で４になり、この切り替え制御情報に基づいて選択された系の拡散回路に、２ビットデータを供給する。また、この切り替え制御情報は、送信データから分離した２ビットデータであるので、１シンボル（４ビット）の送信データが供給される毎に、切り替え器１２で選ばれる系が変化する。
【００２３】
各拡散回路１３ａ，１３ｂ，‥‥１３ｎでは、それぞれ別の直交コードｃ１，ｃ２，‥‥ｃＮを用意して、それぞれの直交コードを２ビットデータに乗算して拡散させる。各直交コードｃ１，ｃ２，‥‥ｃＮは、予め用意されたコードであり、各コードの周期は等しい周期に設定してある。各拡散回路１３ａ，１３ｂ，‥‥１３ｎで拡散されたデータは、それぞれ別の変調回路１４ａ，１４ｂ，‥‥１４ｎに供給して、送信用に変調し、その変調されたデータを、切り替え器１５に供給する。切り替え器１５は、この切り替え器１５に供給されるｎ系統のデータの内の１つを選択する回路で、分離部１１から供給される切り替え制御情報（他方の２ビットデータ）により、選択する系統が制御され、切り替え器１２で選択する系統と同じ系統が選択される。そして、切り替え器１５で選ばれたデータを、無線送信させる。
【００２４】
次に、図２に示した受信系の構成について説明すると、受信データを、ｎ個（ｎは２以上の整数で送信側の系統数ｎと同じ）の逆拡散回路２１ａ，２１ｂ，‥‥２１ｎに供給する。各逆拡散回路２１ａ，２１ｂ，‥‥２１ｎでは、送信側の拡散回路１３ａ〜１３ｎと同じ直交コードｃ１，ｃ２，‥‥ｃＮを用意して、それぞれの直交コードを各逆拡散回路２１ａ，２１ｂ，‥‥２１ｎで受信データに乗算して、逆拡散させる。逆拡散された受信データは、切り替え器２２及び選択部２３に供給する。選択部２３では、供給されたｎ系統の受信データの中から、正しく逆拡散された系統の受信データを１シンボル単位で選択し、その選択された系統に基づいて２ビットデータを生成させて、その２ビットデータを切換制御情報として切り替え器２２に供給する。また、選択部２３で生成された２ビットデータを、合成部２５に受信データとして供給する。
【００２５】
切り替え器２２では、供給された切換制御情報に基づいて、逆拡散回路２１ａ，２１ｂ，‥‥２１ｎで逆拡散された受信データの中から、１系統の受信データを選択する。ここでは、選択部２３で正しく逆拡散されたと判断された系統の受信データを、切り替え器２２で選択して出力する。切り替え器２２が出力する受信データは、復調器２４に供給し、送信時に施された変調処理に対応した復調処理を行う。ここでは、１シンボル２ビットのデータを復調で得る。復調で得られた１シンボル２ビットの受信データは、合成部２５に供給する。合成部２５では、復調器２４から供給される１シンボル２ビットのデータと、選択部２３から供給される１シンボル２ビットのデータとを合成して、１シンボル４ビットのデータとし、その１シンボル４ビットのデータを受信データとする。
【００２６】
図３は、この図１，図２に示す構成で送受信した場合の伝送状態の例を示した図である。この例では、送信時に、送信データの拡散に使用する直交コードとして、４つの直交コードｃ１，ｃ２，ｃ３，ｃ４を用意して、所定の送信電力で送信させた例としてあり、それぞれの直交コードｃ１，ｃ２，ｃ３，ｃ４毎の送信電力を図３（ａ），（ｂ），（ｃ），（ｄ）に示してある。それぞれの送信電力が高くなっているシンボルの区間が、その直交コードを使用して拡散した信号が送信されていることを示してある。例えば、送信側の分離部１１で分離された他方の２ビットが００であるとき直交コードｃ１での拡散を選び、０１であるとき直交コードｃ２での拡散を選び、１０であるとき直交コードｃ３での拡散を選び、１１であるとき直交コードｃ４での拡散を選ぶようになる。
【００２７】
そして、図３（ｅ），（ｆ），（ｇ），（ｈ）は、受信側で４つの直交コードｃ１，ｃ２，ｃ３，ｃ４を用意して逆拡散させた信号の受信電力を示してある。逆拡散させた信号の受信電力が高くなる区間については、同じ直交コードを使用して拡散させた信号の送信電力が高くなっている区間と一致し、その受信電力が高くなった区間の信号が、正しく逆拡散された信号である受信側の選択部２３で判断されて、直交コードの選択情報が図３（ｉ）に示すように１シンボル単位で変化する。
【００２８】
受信側では、この図３（ｉ）に示す直交コードの選択情報が、１シンボル４ビットの内の２ビットの受信データとして使用されて、各シンボル毎に４ビットのデータが受信されることになる。例えば、上述したように送信側で１シンボル毎の２ビットのデータから４つの直交コードを選んだ場合、直交コードｃ１での逆拡散された信号が選ばれたとき、２ビットデータとして００とし、直交コードｃ２で逆拡散された信号が選ばれたとき、２ビットデータとして０１とし、直交コードｃ３で逆拡散された信号が選ばれたとき、２ビットデータとして１０とし、直交コードｃ４で逆拡散された信号が選ばれたとき、２ビットデータとして１１とする。
【００２９】
このようにして直交コードの選択情報についても受信データとして使用されることで、無線伝送路では１シンボル当たり２ビットしか伝送してないにも係わらず、結果的に受信データとして１シンボル当たり４ビットのデータが得られることになる。従って、送信電力の制限が厳しいような場合であっても、効果的に伝送レートを高くすることができる。
【００３０】
次に、本発明の一実施の形態による具体的な伝送処理構成について説明する。図４は、本例による送信装置の構成例を示した図である。図４に基づいて説明すると、この例では、ユーザ情報と制御情報とを合成して無線伝送させる例としてある。ユーザ情報拡散部１００は、入力したユーザ情報を、分離部１０１に供給して、１シンボル当たり１ビットのデータと２ビットのデータとに分離する。分離部１０１で分離された１ビット／１シンボルのデータは、切り替え器１０２に供給し、４つのマッピング回路１０３ａ〜１０３ｄのいずれか１つに供給する。そのマッピング回路１０３ａ〜１０３ｄを選択する情報としては、分離部１０１で分離された１シンボル当たり２ビットのデータが使用される。
【００３１】
４つのマッピング回路１０３ａ〜１０３ｄは、供給されるデータが０データである場合に１、１データである場合に−１にマッピングする。マッピング回路１０３ａ〜１０３ｄの出力は、それぞれ別の拡散回路１０４ａ〜１０４ｄに供給し、それぞれ別の拡散回路１０４ａ〜１０４ｄで、それぞれ別の直交コードを乗算して拡散処理を行う。
【００３２】
ここでは、拡散回路１０４ａで直交コードｃ〔１６，８〕を乗算し、拡散回路１０４ｂで直交コードｃ〔１６，９〕を乗算し、拡散回路１０４ｃで直交コードｃ〔１６，１０〕を乗算し、拡散回路１０４ｄで直交コードｃ〔１６，１１〕を乗算する。なお、各直交コードに付与した数字は、最初の１６が直交コードの周期を示してあり、１６周期の直交コードは１６種類存在し、その後の数字（ここでは８，９，１０，１１）は、１６種類の内の何番目（即ち８番目，９番目，１０番目，１１番目）の直交コードであることを示している。複数の直交コードを使用する場合には、直交性が失われない組み合わせの直交コードを選択する必要があるが、その組み合わせは上述した例に限定されるものではない。
【００３３】
各拡散回路１０４ａ〜１０４ｄで、直交コードの乗算による拡散されたユーザ情報（拡散信号）は、切り替え器１０５に供給して、いずれか１つの拡散回路の出力が選択される。切り替え器１０５についても、切り替え器１０２と同様に、分離部１０１で分離された１シンボル当たり２ビットのデータが使用され、２つの切り替え器１０２，１０５で同時に連動して切り替えが行われる。切り替え器１０５で選択された拡散信号は、ユーザ情報拡散部１００の出力として、電力増幅部１１１に供給して、そのときに設定される送信電力に応じた増幅処理を行い、増幅された信号を合成器１１２に供給する。
【００３４】
また、制御情報については、拡散回路１１３で直交コードｃ〔２５６，０〕を乗算して拡散し、その拡散信号を電力増幅部１１４に供給して、そのときに設定される送信電力に応じた増幅処理を行い、増幅された信号を複素化回路１１５を介して合成器１１２に供給する。
【００３５】
合成器１１２では、拡散されたユーザ情報をＩチャンネルの信号とし、拡散された制御情報をＱチャンネルの信号として、合成信号（Ｉ＋ｊＱ）を生成させて、その合成信号を、スクランブル回路１１６に供給して、スクランブリングコード１１６を複素乗算して、スクランブルされた送信信号を生成させ、その送信信号を無線送信させる。
【００３６】
図５は、ユーザ情報拡散部１００内の拡散回路での拡散処理状態の例を示した図である。例えば図５（ａ）に示したようにマッピング後のユーザ情報が得られた場合に、図５（ｂ）に示した周期ＳＦ１６の直交コードをユーザ情報に乗算することで、図５（ｃ）に示した拡散後の信号が得られる。
【００３７】
図６は、このようにしてデータが送信される状態を示した図である。図６（ａ）は、切り替え器１０２で分離された送信する側のユーザ情報を１シンボル単位（１ビット）で示した図であり、図６（ｂ）は、切り替え器１０２で分離された切り替え情報として使用するユーザ情報を１シンボル単位（２ビット）で示した図である。図６（ｂ）に示す切り替え情報としての２ビットデータで、図６（ｃ）に示すように、使用する直交コードが定まる。使用する直交コードが決まることで、図６（ａ）に示すユーザ情報が図６（ｃ）に示す直交コードに乗算された出力データ（図６（ｄ））が得られる。
【００３８】
次に、このようにして送信される信号を受信する構成の例を説明する。まず、第１の受信構成例を、図７を参照して説明する。無線信号を受信して得た受信データは、デスクランブル回路１２１に供給して、スクランブリングコードを複素乗算して、デスクランブルした受信データを得る。得られた受信データは、逆拡散回路１２２に供給して、送信側で制御情報の拡散に使用した直交コードｃ〔２５６，０〕を乗算して逆拡散し、その逆拡散された信号をパイロット信号抽出部１２３に供給して、制御情報に含まれるパイロット信号を抽出する。その抽出されたパイロット信号に基づいて、位相推定部１２４で受信信号位相を推定する。
【００３９】
また、デスクランブル回路１２１でデスクランブルした受信データを、位相補正部１２５に供給し、位相推定部１２４で推定した位相に基づいて、受信データの位相補正処理を行う。そして、その位相補正された受信データを、直交成分分離部１２６に供給し、直交された成分の内のＩ成分を抽出する。抽出されたＩ成分は、４つの逆拡散回路１２７ａ〜１２７ｄに供給する。この４つの逆拡散回路１２７ａ〜１２７ｄでは、送信側で使用された４つの直交コードと同じ４つの直交コードｃ〔１６，８〕，ｃ〔１６，９〕，ｃ〔１６，１０〕，ｃ〔１６，１１〕を用意して、各逆拡散回路１２７ａ〜１２７ｄで個別に受信データに乗算して、逆拡散処理を行う。
【００４０】
個別に逆拡散された４系統の受信データは、切り替え部１２８に供給して、１系統の受信データだけを選択する。この選択を行うために、各逆拡散回路１２７ａ〜１２７ｄが出力する受信データを、検出部１２９に供給して、正しく逆拡散された受信データが４系統の中のいずれであるか判別し、その判別した系統の受信データを、切り替え部１２８で選択させる。この検出部１２９での検出、及び切り替え部１２８での選択は、１シンボル単位で実行される。
【００４１】
切り替え部１２８で選択された受信データは、第１の判定部１３０に供給して、１シンボル毎に１ビットの受信データを判定する復調処理が行われ、その判定された１ビット／１シンボルを、合成部１３２に供給する。
【００４２】
また、検出部１２９で検出した正しい受信データの系列の情報を、第２の判定部１３１に供給し、正しい受信データの系列の情報に基づいて、その受信データの逆拡散に使用した直交コードから、１シンボル単位に２ビットのデータを得る。この１シンボル単位で２ビットのデータを得る処理としては、送信側での直交コードの切り替え情報としての２ビットデータと使用する直交コードとの対応と同じとしてあり、直交コードに基づいて、元の２ビット／１シンボルのデータが得られる。
【００４３】
第２の判定部１３１で得られた２ビット／１シンボルのデータは、合成部１３２に供給する。合成部１３２では、第１の判定部１３０から供給された１ビット／１シンボルのデータと、第２の判定部１３１から供給された２ビット／１シンボルのデータとを合成して、１シンボル当たり３ビットの受信データを得る。この３ビット／１シンボルのデータを、受信したユーザ情報として出力させる。
【００４４】
ここで、検出部１２９での検出（判定）処理について説明すると、図７に示した構成の検出部１２９に供給される情報は、スカラー量である。各直交コードは、互いに直交しているため、本来使用されているコード以外の出力はゼロとなる。しかし、受信した信号にはノイズが存在するため、完全にはゼロにはならない。よって使用されているコードと使用されていないコードからの信号は、図８に示すような分布になり、使われていない直交コードによる逆拡散部からの信号については、０の近傍になり、使われている直交コードによる逆拡散部からの信号については、データが「＋１」の場合に特定の値Ａの近傍になり、データが「−１」の場合に特定の値Ａとは符号が反転した値−Ａの近傍になる。値Ａは、伝搬路でのゲインや送信電力により変化する。この時点で送信されている信号が±１ということは判別できないので、例えば絶対値をとって判別する。このようにすることで、使われている直交コードからの信号は、値Ａの付近に分布することになり、最大値を選択することで使用されているコードの判定（検出）が可能になる。
【００４５】
次に、図４に示す構成で送信される信号を受信する構成の、第２の受信構成例を、図９を参照して説明する。この図９において、第１の受信構成例を示した図７に対応する部分には同一符号を付す。
【００４６】
無線信号を受信して得た受信データは、デスクランブル回路１２１に供給して、スクランブリングコードを複素乗算して、デスクランブルした受信データを得る。得られた受信データは、逆拡散回路１２２に供給して、送信側で制御情報の拡散に使用した直交コードｃ〔２５６，０〕を乗算して逆拡散し、その逆拡散された信号をパイロット信号抽出部１２３に供給して、制御情報に含まれるパイロット信号を抽出する。その抽出されたパイロット信号に基づいて、位相推定部１２４で受信信号位相を推定する。
【００４７】
そして、デスクランブル回路１２１でデスクランブルした受信データを、４つの逆拡散回路１２７ａ〜１２７ｄに供給する。この４つの逆拡散回路１２７ａ〜１２７ｄでは、送信側で使用された４つの直交コードと同じ４つの直交コードｃ〔１６，８〕，ｃ〔１６，９〕，ｃ〔１６，１０〕，ｃ〔１６，１１〕を用意して、各逆拡散回路１２７ａ〜１２７ｄで個別に受信データに乗算して、逆拡散処理を行う。
【００４８】
個別に逆拡散された４系統の受信データは、それぞれ別の位相補正部１４１ａ〜１４１ｄに供給し、位相推定部１２４で推定された受信信号位相に基づいて、逆拡散された受信データの位相補正処理を行う。そして、その位相補正された受信データを、各系統毎に直交成分分離部１４２ａ〜１４２ｄに供給し、直交された成分の内のＩ成分を抽出する。抽出された各系統のＩ成分は、切り替え部１２８に供給して、１系統の受信データだけを選択する。この選択を行うために、各逆拡散回路１２７ａ〜１２７ｄが出力する受信データを、検出部１２９に供給して、正しく逆拡散された受信データが４系統の中のいずれであるか判別し、その判別した系統の受信データを、切り替え部１２８で選択させる。この検出部１２９での検出、及び切り替え部１２８での選択は、１シンボル単位で実行される。
【００４９】
切り替え部１２８で選択された受信データは、第１の判定部１３０に供給して、１シンボル毎に１ビットの受信データを判定する復調処理が行われ、その判定された１ビット／１シンボルを、合成部１３２に供給する。
【００５０】
また、検出部１２９で検出した正しい受信データの系列の情報を、第２の判定部１３１に供給し、正しい受信データの系列の情報に基づいて、その受信データの逆拡散に使用した直交コードから、１シンボル単位に２ビットのデータを得る。この１シンボル単位で２ビットのデータを得る処理としては、送信側での直交コードの切り替え情報としての２ビットデータと使用する直交コードとの対応と同じとしてあり、直交コードに基づいて、元の２ビット／１シンボルのデータが得られる。
【００５１】
この図９の構成の場合には、図７の構成と比較して、位相補正を逆拡散後のシンボルレベルで行う構成としてあるが、図７の受信構成の場合と同様の受信処理が行える。この図９の例によると、図７の構成よりも受信処理量を削減することができる。
【００５２】
次に、図４に示す構成で送信される信号を受信する構成の、第３の受信構成例を、図１０を参照して説明する。この図１０において、第１，第２の受信構成例を示した図７，図９に対応する部分には同一符号を付す。
【００５３】
無線信号を受信して得た受信データは、デスクランブル回路１２１に供給して、スクランブリングコードを複素乗算して、デスクランブルした受信データを得る。得られた受信データは、逆拡散回路１２２に供給して、送信側で制御情報の拡散に使用した直交コードｃ〔２５６，０〕を乗算して逆拡散し、その逆拡散された信号をパイロット信号抽出部１２３に供給して、制御情報に含まれるパイロット信号を抽出する。その抽出されたパイロット信号に基づいて、位相推定部１２４で受信信号位相を推定する。
【００５４】
そして、デスクランブル回路１２１でデスクランブルした受信データを、４つの逆拡散回路１２７ａ〜１２７ｄに供給する。この４つの逆拡散回路１２７ａ〜１２７ｄでは、送信側で使用された４つの直交コードと同じ４つの直交コードｃ〔１６，８〕，ｃ〔１６，９〕，ｃ〔１６，１０〕，ｃ〔１６，１１〕を用意して、各逆拡散回路１２７ａ〜１２７ｄで個別に受信データに乗算して、逆拡散処理を行う。
【００５５】
個別に逆拡散された４系統の受信データは、切り替え部１２８に供給して、１系統の受信データだけを選択する。この選択を行うために、各逆拡散回路１２７ａ〜１２７ｄが出力する受信データを、検出部１２９に供給して、正しく逆拡散された受信データが４系統の中のいずれであるか判別し、その判別した系統の受信データを、切り替え部１２８で選択させる。この検出部１２９での検出、及び切り替え部１２８での選択は、１シンボル単位で実行される。
【００５６】
切り替え部１２８で選択された受信データは、位相補正部１２５に供給し、位相推定部１２４で推定された受信信号位相に基づいて、逆拡散された受信データの位相補正処理を行う。そして、その位相補正された受信データを、直交成分分離部１２６に供給し、直交された成分の内のＩ成分を抽出し、その抽出されたＩ成分を第１の判定部１３０に供給して、１シンボル毎に１ビットの受信データを判定する復調処理を行い、その判定された１ビット／１シンボルを、合成部１３２に供給する。
【００５７】
また、検出部１２９で検出した正しい受信データの系列の情報を、第２の判定部１３１に供給し、正しい受信データの系列の情報に基づいて、その受信データの逆拡散に使用した直交コードから、１シンボル単位に２ビットのデータを得る。この１シンボル単位で２ビットのデータを得る処理としては、送信側での直交コードの切り替え情報としての２ビットデータと使用する直交コードとの対応と同じとしてあり、直交コードに基づいて、元の２ビット／１シンボルのデータが得られる。
【００５８】
この図１０の構成の場合には、位相補正や直交成分の分離処理を行う前に、正しい受信データを選択する処理を行うようにしてあり、検出部１２９では直交コードの検出を、例えば受信電力で判定することになるが、図７，図９の場合と同様の受信処理が行えるものである。この図１０の構成の場合にも、図７の構成よりも受信処理量を削減することができる。
【００５９】
なお、上述した実施の形態では、伝送信号の１シンボル毎に使用する直交コードを切り換えるようにしたが、２シンボルなどの複数シンボル単位で、拡散用の直交コードを切り換えるようにしても良い。但し、複数シンボル単位とすると、それだけ直交コードの選択に基づいて伝送されるデータ量が少なくなり、伝送レートが低くなる。
【００６０】
また、上述した実施の形態で説明した１シンボル毎のデータのビット数なども一例を示したものであり、その他のビット数で各シンボルを構成させても良い。また、送信側での変調方式や受信側での復調方式についても、特に詳しくは説明しなかったが、従来からこの種の伝送に適用されている各種変調方式や復調方式が適用可能である。
【００６１】
また、ここまで説明した一連の処理は、ハードウェアにより実現させることもできるが、ソフトウェアにより実現させることもできる。一連の処理をソフトウェアにより実現する場合には、そのソフトウェアを構成するプログラムをコンピュータ装置などのデータ処理装置にインストールして、そのプログラムをコンピュータ装置などで実行することで、上述した送信装置や受信装置が機能的に実現される。
【００６２】
【発明の効果】
本発明によると、第１のデータ列だけを伝送する処理を行うだけで、その第１のデータ列の拡散に使用した直交コード情報に基づいて第２のデータ列が受信側で得られるので、それだけ少ない送信電力で伝送レートを高くすることが可能になり、効率の良い伝送が可能になる。特に、バッテリ駆動による送信装置として構成する場合に、送信電力を高くする必要がないので、バッテリの持続時間の長時間化に効果的である。また、伝送レートを高くできるのに、変調方式などは多値化する必要がないので、アナログ部に対する制限を緩和（或いは従来の伝送レートが低い場合と同じ）することができる。
【図面の簡単な説明】
【図１】本発明の一実施の形態による送信側の原理構成例を示すブロック図である。
【図２】本発明の一実施の形態による受信側の原理構成例を示すブロック図である。
【図３】本発明の一実施の形態による伝送状態の例を示す特性図である。
【図４】本発明の一実施の形態による送信構成の一例を示すブロック図である。
【図５】図４の例による拡散状態の例を示した説明図である。
【図６】本発明の一実施の形態による送信処理例を示した説明図である。
【図７】本発明の一実施の形態による受信構成の一例（第１の例）を示すブロック図である。
【図８】図７の例による受信状態の例を示す特性図である。
【図９】本発明の一実施の形態による受信構成の他の例（第２の例）の例を示すブロック図である。
【図１０】本発明の一実施の形態による受信構成の他の例（第３の例）の例を示すブロック図である。
【図１１】従来の送信処理例を示すブロック図である。
【図１２】従来のマルチコードの送信処理例を示すブロック図である。
【図１３】従来のマルチコードの受信処理例を示すブロック図である。
【符号の説明】
１１…分離部、１２…切り替え器、１３ａ〜１３ｎ…拡散回路、１４ａ〜１４ｎ…変調回路、１５…切り替え器、２１ａ〜２１ｎ…逆拡散回路、２２…切り替え器、２３…選択部、２４…復調回路、２５…合成部、７１…マッピング回路、７２…拡散回路、７３…電力増幅部、７４…合成器、７５…マッピング回路、７６…拡散回路、７７…電力増幅部、７８…複素化回路、７９…スクランブル回路、８１…シリアル／パラレル変換器、８２ａ〜８２ｎ…拡散回路、８３ａ〜８３ｎ…変調回路、８４…多重化回路、９１ａ〜９１ｎ…逆拡散回路、９２ａ〜９２ｎ…復調回路、９３…パラレル／シリアル変換器、１００…ユーザ情報拡散部、１０１…分離部、１０２…切り替え器、１０３ａ〜１０３ｄ…マッピング回路、１０４ａ〜１０４ｄ…拡散回路、１０５…切り替え器、１１１…電力増幅部、１１２…合成器、１１３…拡散回路、１１４…電力増幅部、１１５…複素化回路、１１６…スクランブル回路、１２１…デスクランブル回路、１２２…逆拡散回路、１２３…パイロット信号抽出部、１２４…位相推定部、１２５…位相補正部、１２６…直交成分分離部、１２７ａ〜１２７ｄ…逆拡散回路、１２８…切り替え部、１２９…検出部、１３０…第１の判定部、１３１…第２の判定部、１３２…合成部、１４１ａ〜１４１ｄ…位相補正部、１４２ａ〜１４２ｄ…直交成分分離部
【図１】
2004274403.tif 000003
【図２】
2004274403.tif 000004
【図３】
2004274403.tif 000005
【図４】
2004274403.tif 000006
【図５】
2004274403.tif 000007
【図６】
2004274403.tif 000008
【図７】
2004274403.tif 000009
【図８】
2004274403.tif 000010
【図９】
2004274403.tif 000011
【図１０】
2004274403.tif 000012
【図１１】
2004274403.tif 000013
【図１２】
2004274403.tif 000014
【図１３】
2004274403.tif 000015